(57)【特許請求の範囲】
【請求項１】
円管状又はケーブル状の被着体に巻き付けられる巻き付け部と、第１印字オブジェクトが印刷された第１印刷面を備えた第１ラベル部と、前記第１ラベル部に連設され、第２印字オブジェクトが印刷された第２印刷面を備えた第２ラベル部と、を有し、前記巻き付け部を前記被着体の外周部に巻き付けて貼り付けるとともに前記第２ラベル部を前記第２印刷面が表面に露出するように前記第１ラベル部側へ折り返し当該第１ラベル部に貼り付けて使用される、巻き付けラベルを作成する印刷装置であって、
被印字媒体を搬送する搬送手段と、
搬送手段により搬送される前記被印字媒体に対し印刷を行う印刷手段と、
第１記憶領域及び第２記憶領域を備えた記憶手段と、
前記第１印字オブジェクト及び前記第２印字オブジェクトについての編集操作に応じ、前記第１印字オブジェクトに対応した第１ドットパターンデータを生成して前記第１記憶領域に展開すると共に、前記第２印字オブジェクトに対応した第２ドットパターンデータを生成して前記第２記憶領域に展開する、データ展開手段と、
前記データ展開手段により展開された前記第２ドットパターンデータを前記第２記憶領域において１８０°回転させた態様で展開する、データ回転手段と、
前記第１記憶領域のうち、前記データ展開手段により展開された前記第１ドットパターンデータの周囲に存在するドットパターンとしてデータ展開の行われない複数の第１余白ドット、及び、前記第２記憶領域のうち、前記データ回転手段で前記展開された前記第２ドットパターンデータの周囲に存在するドットパターンとしてデータ展開の行われない複数の第２余白ドット、を検出する余白検出手段と、
前記余白検出手段により検出された前記複数の第１余白ドット及び前記複数の第２余白ドットの少なくとも一方に対し、設定された余白処理ルールにしたがったドット削除処理を行うことにより、前記第１記憶領域の前記第１ドットパターンデータ及び前記第２記憶領域の前記第２ドットパターンデータのうち少なくとも一方を、前記ドット削除処理で削除された余白ドットの方向にシフトした態様で展開する、余白削除手段と、
前記データ展開手段、前記データ回転手段、及び前記余白削除手段がすべて反映された状態の前記第１記憶領域及び前記第２記憶領域の記憶内容を前記被印字媒体に形成するように、前記印刷手段を制御する、印刷制御手段と、
を有することを特徴とする印刷装置。
【請求項２】
請求項１記載の印刷装置において、
前記余白削除手段は、
前記第１記憶領域の前記第１ドットパターンデータ及び前記第２記憶領域の前記第２ドットパターンデータの、前記使用される時において前記巻き付け部と反対側となる端部、若しくは、前記使用される時において前記巻き付け部側となる端部が揃うように、前記シフトを行う
ことを特徴とする印刷装置。
【請求項３】
請求項２記載の印刷装置において、
前記余白削除手段は、
前記第１ドットパターンデータ及び前記第２ドットパターンデータの前記巻き付け部と反対側となる端部が、各記憶領域の当該反対側の端部で揃うように、前記シフトを行う
ことを特徴とする印刷装置。
【請求項４】
請求項２記載の印刷装置において、
前記余白削除手段は、
前記第１ドットパターンデータ及び前記第２ドットパターンデータの前記巻き付け部側となる端部が、各記憶領域の当該巻き付け部側の端部で揃うように、前記シフトを行う
ことを特徴とする印刷装置。
【請求項５】
請求項１記載の印刷装置において、
前記余白削除手段は、
前記第１ドットパターンデータ及び前記第２ドットパターンデータの中央部が、各記憶領域の中央部で揃うように、前記シフトを行う
ことを特徴とする印刷装置。
【請求項６】
請求項１乃至請求項５のいずれか１項記載の印刷装置において、
前記第１印字オブジェクト及び前記第２印字オブジェクトのうち少なくとも一方に複数行のテキスト文字が含まれる場合は、
前記データ回転手段は、前記複数行を一体として回転させ、
前記余白検出手段は、前記第１余白ドット又は前記第２余白ドットを、前記複数行のそれぞれごとに検出し、
前記余白削除手段は、前記複数行のそれぞれごとに前記シフトを行う
ことを特徴とする印刷装置。
【請求項７】
請求項１乃至請求項６のいずれか１項記載の印刷装置において、
前記データ展開手段、前記データ回転手段、及び前記余白削除手段がすべて反映された状態の前記第１記憶領域及び前記第２記憶領域の記憶内容により作成される前記巻き付けラベルの外観イメージをプレビューする表示手段を有する
ことを特徴とする印刷装置。
【請求項８】
円管状又はケーブル状の被着体に巻き付けられる巻き付け部と、第１印字オブジェクトが印刷された第１印刷面を備えた第１ラベル部と、前記第１ラベル部に連設され、第２印字オブジェクトが印刷された第２印刷面を備えた第２ラベル部と、を有し、前記巻き付け部を前記被着体の外周部に巻き付けて貼り付けるとともに前記第２ラベル部を前記第２印刷面が表面に露出するように前記第１ラベル部側へ折り返し当該第１ラベル部に貼り付けて使用される、巻き付けラベルの作成装置に接続され、かつ、第１記憶領域及び第２記憶領域を備えた記憶手段と、演算手段と、操作手段と、表示手段とを有する操作端末の前記演算手段に対し、
前記第１印字オブジェクト及び前記第２印字オブジェクトについての前記操作手段を介した編集操作を受け付ける、編集受付手順と、
前記編集受付手順で受け付けた編集操作に応じ、前記第１印字オブジェクトに対応した第１ドットパターンデータを生成して前記第１記憶領域に展開すると共に、前記第２印字オブジェクトに対応した第２ドットパターンデータを生成して前記第２記憶領域に展開する、データ展開手順と、
前記データ展開手順で展開された前記第２ドットパターンデータを前記第２記憶領域において１８０°回転させた態様で展開する、データ回転手順と、
前記第１記憶領域のうち、前記データ展開手順で展開された前記第１ドットパターンデータの周囲に存在するドットパターンとしてデータ展開の行われない複数の第１余白ドット、及び、前記第２記憶領域のうち、前記データ回転手順で前記展開された前記第２ドットパターンデータの周囲に存在するドットパターンとしてデータ展開の行われない複数の第２余白ドット、を検出する余白検出手順と、
前記余白検出手順で検出された前記複数の第１余白ドット及び前記複数の第２余白ドットの少なくとも一方に対し、設定された余白処理ルールにしたがったドット削除処理を行うことにより、前記第１記憶領域の前記第１ドットパターンデータ及び前記第２記憶領域の前記第２ドットパターンデータのうち少なくとも一方を、前記ドット削除処理で削除された余白ドットの方向にシフトした態様で展開する、余白削除手順と、
前記データ展開手順、前記データ回転手順、及び前記余白削除手順がすべて反映された状態の前記第１記憶領域及び前記第２記憶領域の記憶内容を、前記作成装置へ出力するデータ出力手順と、
を実行させるための、巻き付けラベルの作成処理プログラム。
【請求項９】
請求項８記載の巻き付けラベルの作成処理プログラムにおいて、
前記余白削除手順では、
前記第１記憶領域の前記第１ドットパターンデータ及び前記第２記憶領域の前記第２ドットパターンデータの、前記使用される時において前記巻き付け部と反対側となる端部、若しくは、前記使用される時において前記巻き付け部側となる端部が揃うように、前記シフトを行う
ことを特徴とする巻き付けラベルの作成処理プログラム。
【請求項１０】
請求項９記載の巻き付けラベルの作成処理プログラムにおいて、
前記余白削除手順では、
前記第１ドットパターンデータ及び前記第２ドットパターンデータの前記巻き付け部と反対側となる端部が、各記憶領域の当該反対側の端部で揃うように、前記シフトを行う
ことを特徴とする巻き付けラベルの作成処理プログラム。
【請求項１１】
請求項９記載の巻き付けラベルの作成処理プログラムにおいて、
前記余白削除手順では、
前記第１ドットパターンデータ及び前記第２ドットパターンデータの前記巻き付け部側となる端部が、各記憶領域の当該巻き付け部側の端部で揃うように、前記シフトを行う
ことを特徴とする巻き付けラベルの作成処理プログラム。
【請求項１２】
請求項８記載の巻き付けラベルの作成処理プログラムにおいて、
前記余白削除手順では、
前記第１ドットパターンデータ及び前記第２ドットパターンデータの中央部が、各記憶領域の中央部で揃うように、前記シフトを行う
ことを特徴とする巻き付けラベルの作成処理プログラム。
【請求項１３】
請求項８乃至請求項１２のいずれか１項記載の巻き付けラベルの作成処理プログラムにおいて、
前記第１印字オブジェクト及び前記第２印字オブジェクトのうち少なくとも一方に複数行のテキスト文字が含まれる場合は、
前記データ回転手順では、
前記複数行を一体として回転させ、
前記余白検出手順では、
前記第１余白ドット又は前記第２余白ドットを、前記複数行のそれぞれごとに検出し、
前記余白削除手順では、
前記複数行のそれぞれごとに前記シフトを行う
ことを特徴とする巻き付けラベルの作成処理プログラム。
【請求項１４】
請求項８乃至請求項１３のいずれか１項記載の巻き付けラベルの作成処理プログラムにおいて、
前記演算手段に対し、さらに、
前記データ出力手順で出力されるデータにより前記作成装置で作成される前記巻き付けラベルの外観イメージを前記表示手段にプレビューする表示手順を実行させる
ことを特徴とする巻き付けラベルの作成処理プログラム。
【発明の詳細な説明】
【技術分野】
【０００１】
本発明は、被着体の外周部に巻き付けて貼り付ける巻き付けラベルを作成する印刷装置及び巻き付けラベルの作成処理プログラムに関する。
【背景技術】
【０００２】
被着体の外周部に巻き付けて貼り付ける、巻き付けラベルが知られている（例えば、特許文献１参照）。この巻き付けラベル（貼り合わせタグ）は、被着体（商品）に巻き付けられる巻き付け部（取り付け部）と、所望の印字オブジェクト（例えば定価・品名等）が印刷されて表示されるラベル部（表示部）とを備えている。この巻き付けラベルの使用時には、上記巻き付け部を被着体の外周部に巻き付けて貼り付けるとともに、ラベル部の一方側半分を他方側へと折り返し（裏面どうしを貼り合わせるようにしつつ）貼り付けて使用される。
【先行技術文献】
【特許文献】
【０００３】
【特許文献１】特開２００３−５８０６２号公報
【発明の概要】
【発明が解決しようとする課題】
【０００４】
上記巻き付けラベルは、使用前に、予め印刷装置により上記印字オブジェクトを印刷しておく必要がある。印刷装置では、上記巻き付け部及びラベル部が平面的に配置された長尺状の被印字媒体（タグ連続体）が搬送され、その搬送される被印字媒体の上記ラベル部に対し、適宜の印刷手段によって上記印字オブジェクトの印刷が行われることになる。
【０００５】
巻き付けラベルは、貼り合わせたり、巻き付けたりして立体的に使用されるものであるが、上述のように、印字オブジェクトの形成時には、略平面状態の（すなわち、上記立体的な構成を展開した状態である）被印字媒体に対し、印刷が行われる。したがって、上記印刷手段へ与える印字データ（例えばドットパターンデータ）は、前述のような実際の立体的な使用態様を考慮したデータ態様としなければならない。すなわち、実際の使用時にラベル部の上記一方側半分及び他方側半分をそれぞれ同等の外観とするためには、（上記ラベル部における折り返しに配慮すると）ラベル部の上記一方側半分に印刷するための印字データと、他方側半分に印刷するための印字データとは、上下に（又は左右に）逆向きのデータとする必要がある。また、それら２つの印字データの端部どうしの位置を揃える必要もある。このような印字データに対する各種操作や設定を操作者が手動で行う場合、非常に煩雑な操作となって労力負担が大きく、不便であった。
【０００６】
本発明の目的は、巻き付けラベルの印字オブジェクトを印刷する際の操作者の操作負担を低減し、利便性を向上できる印刷装置及び巻き付けラベルの作成処理プログラムを提供することにある。
【課題を解決するための手段】
【０００７】
上記目的を達成するために、本願発明は、円管状又はケーブル状の被着体に巻き付けられる巻き付け部と、第１印字オブジェクトが印刷された第１印刷面を備えた第１ラベル部と、前記第１ラベル部に連設され、第２印字オブジェクトが印刷された第２印刷面を備えた第２ラベル部と、を有し、前記巻き付け部を前記被着体の外周部に巻き付けて貼り付けるとともに前記第２ラベル部を前記第２印刷面が表面に露出するように前記第１ラベル部側へ折り返し当該第１ラベル部に貼り付けて使用される、巻き付けラベルを作成する印刷装置であって、被印字媒体を搬送する搬送手段と、搬送手段により搬送される前記被印字媒体に対し印刷を行う印刷手段と、第１記憶領域及び第２記憶領域を備えた記憶手段と、前記第１印字オブジェクト及び前記第２印字オブジェクトについての編集操作に応じ、前記第１印字オブジェクトに対応した第１ドットパターンデータを生成して前記第１記憶領域に展開すると共に、前記第２印字オブジェクトに対応した第２ドットパターンデータを生成して前記第２記憶領域に展開する、データ展開手段と、前記データ展開手段により展開された前記第２ドットパターンデータを前記第２記憶領域において１８０°回転させた態様で展開する、データ回転手段と、前記第１記憶領域のうち、前記データ展開手段により展開された前記第１ドットパターンデータの周囲に存在するドットパターンとしてデータ展開の行われない複数の第１余白ドット、及び、前記第２記憶領域のうち、前記データ回転手段で前記展開された前記第２ドットパターンデータの周囲に存在するドットパターンとしてデータ展開の行われない複数の第２余白ドット、を検出する余白検出手段と、前記余白検出手段により検出された前記複数の第１余白ドット及び前記複数の第２余白ドットの少なくとも一方に対し、設定された余白処理ルールにしたがったドット削除処理を行うことにより、前記第１記憶領域の前記第１ドットパターンデータ及び前記第２記憶領域の前記第２ドットパターンデータのうち少なくとも一方を、前記ドット削除処理で削除された余白ドットの方向にシフトした態様で展開する、余白削除手段と、前記データ展開手段、前記データ回転手段、及び前記余白削除手段がすべて反映された状態の前記第１記憶領域及び前記第２記憶領域の記憶内容を前記被印字媒体に形成するように、前記印刷手段を制御する、印刷制御手段と、を有することを特徴とする。
【０００８】
本願発明の印刷装置においては、データ回転手段、余白検出手段、余白削除手段が設けられる。すなわち、ユーザの編集操作に応じて、データ展開手段が、第１及び第２印字オブジェクトにそれぞれ対応した第１及び第２ドットパターンを生成し記憶手段の第１及び第２領域に展開すると、データ回転手段が、上記第２ドットパターンデータを第２記憶領域において１８０°回転させた態様で展開する。これにより、前述の第２ラベル部の第１ラベル部側への折り返しに対応して、第１ドットパターンにより形成される第１印字オブジェクトの向きと、第２ドットパターンにより形成される第２印字オブジェクトの向きとが、上記使用状態において同一方向に揃うことになる。
【０００９】
その後、余白検出手段が、上記第１及び第２ドットパターンデータの周囲にそれぞれ存在するドットパターンとしてデータ展開の行われない第１及び第２余白ドットを検出する。そして、余白削除手段が、この検出された余白ドットに対し、予め（固定的又は可変に）設定された余白処理ルールに沿ってドット削除処理を行うことにより、第１記憶領域の第１ドットパターンデータや第２記憶領域の第２ドットパターンデータを、当該削除方向に（言い替えれば削除した余白ドットを詰めるように）シフトさせる。上記削除ルールの態様としては、使用時において、例えば、第１及び第２ドットパターンデータを巻き付け部と反対側の端部で互いに揃えたり、第１及び第２ドットパターンデータを巻き付け部側の端部で互いに揃えたり、第１及び第２ドットパターンデータを中央部で互いに揃えたり、することができる。これにより、第１ドットパターンにより形成される第１印字オブジェクトと、第２ドットパターンにより形成される第２印字オブジェクトとが、上記使用状態において、上記巻き付け部と反対側の端部、又は上記巻き付け側端部、若しくは上記中央部で揃った態様で形成されることになる。
【００１０】
以上の結果、ユーザが第１印字オブジェクト及び第２印字オブジェクトの内容を操作入力するだけで、上記のように使用時における向きや端部等の位置が自動的に揃えられた態様で巻き付けラベルが作成される。この結果、ユーザが上記向きや端部位置等を揃えるための各種操作・設定を手動で行う必要がなくなるので、操作負担を大きく低減し、利便性を向上することができる。
【発明の効果】
【００１１】
本発明によれば、巻き付けラベルの印字オブジェクトを印刷する際の操作者の操作負担を低減し、利便性を向上することができる。
【図面の簡単な説明】
【００１２】
【図１】本発明の一実施形態によるラベル作成装置の機能的構成を表す機能ブロック図である。
【図２】印字前の被印字テープの外観を表す説明図、及び、印字後の被印字テープの外観を表す説明図、である。
【図３】作成された巻き付けラベルの外観を表す平面図、及び、第２ラベル部を第１ラベル部側へ折り返した後の外観を表す平面図である。
【図４】ケーブルに取り付けられて使用される巻き付けラベルの外観を表す説明図である。
【図５】ＲＡＭの第１及び第２記憶領域に展開された第１及び第２ドットパターンを表す説明図である。
【図６】第２記憶領域で第２ドットパターンを１８０°回転して展開した状態を表す説明図である。
【図７】第１及び第２記憶領域における、第１及び第２ドットパターンの後端側の第１及び第２余白ドットが検出される状態を説明する説明図である。
【図８】検出された余白ドットが削除された状態を表す説明図である。
【図９】ドットパターンの展開及び処理の全体の流れを表す説明図である。
【図１０】ラベル作成装置の制御回路のＣＰＵが実行する制御手順を表すフローチャートである。
【図１１】図１０のステップＳ１００のデータ準備処理の詳細を表すフローチャートである。
【図１２】被着体に最も近くなる位置に文字列を表記する変形例における、ドットパターンの展開及び処理の全体の流れを表す説明図である。
【図１３】ドットパターンをマーク位置で揃える変形例における、ドットパターンの展開及び処理の全体の流れを表す説明図である。
【図１４】Ｔ型ラベルを作成する変形例における、巻き付けラベルの外観を表す平面図、及び、第２ラベル部を第１ラベル部側へ折り返した後の外観を表す平面図である。
【図１５】ケーブルに取り付けられて使用される巻き付けラベルの外観を表す説明図である。
【図１６】ドットパターンの展開及び処理の全体の流れを表す説明図である。
【図１７】被着体に最も遠くなる位置に文字列を表記するＴ型ラベルの変形例における、ドットパターンの展開及び処理の全体の流れを表す説明図である。
【図１８】ケーブルに取り付けられて使用される巻き付けラベルの外観を表す説明図である。
【図１９】ラベル部に複数行の文字列が表記される変形例における、ドットパターンの展開及び処理の全体の流れを表す説明図である。
【図２０】複数行の文字列を１行ごとに個別処理する変形例における、ドットパターンの展開及び処理の全体の流れを表す説明図である。
【発明を実施するための形態】
【００１３】
以下、本発明の一実施形態を図面を参照しつつ説明する。
【００１４】
＜巻き付けラベル作成装置の機能的構成＞
まず、本実施形態のラベル作成装置の機能的構成を図１により説明する。
【００１５】
ラベル作成装置１（印刷装置に相当）は、制御回路２と、操作部３と、表示部４と、各種情報を記憶するＲＡＭ５（記憶手段に相当）と、搬送ローラ６（搬送手段に相当）と、印字ヘッド７（印刷手段に相当）と、カットレバー８と、カッタ９と、を有する。
【００１６】
ラベル作成装置１には、被印字テープ１０（被印字媒体に相当）を巻回したテープロール１０Ａ（本来は渦巻き状であるが簡略化して同心円で図示している）が装着される。被印字テープ１０は、この例では複数の被印字部をテープ搬送方向（長手方向）に沿って設けた、いわゆるダイカットラベルテープである（詳細は後述）。
【００１７】
制御回路２は、図示しないＣＰＵ及びＲＯＭを備えている。制御回路２は、上記ＲＡＭ５の一時記憶機能を利用しつつ、上記ＲＯＭに予め記憶された各種プログラム（後述の図１０及び図１１のフローを実行する巻き付けラベル作成処理のためのプログラムを含む）を実行するとともに、ラベル作成装置１全体の制御を行う。
【００１８】
搬送ローラ６は、印字ヘッド７に対向して設けられており、テープロール１０Ａから繰り出される被印字テープ１０を印字ヘッド７との間で挟持する。搬送ローラ６は、回転することによって被印字テープ１０をテープロール１０Ａから繰り出しながら搬送する。
【００１９】
印字ヘッド７は、搬送ローラ６によって搬送される被印字テープ１０の各被印字部（詳細は後述）に対し、ユーザ（操作者）が操作入力した文字・図像等の所望の印字オブジェクトを印刷する。
【００２０】
カッタ９は、ユーザによるカットレバー８の操作によって作動し、搬送方向に沿って複数の巻き付けラベル１００が形成された印字後の被印字テープ１０′を切断する。
【００２１】
＜被印字テープの外観＞
図２（ａ）及び図２（ｂ）に、印字前の被印字テープ１０及び印字後の被印字テープ１０′の外観をそれぞれ示す。
【００２２】
図２（ａ）に示すように、印字前の被印字テープ１０は、剥離性を有する長尺の剥離材１１と、剥離材１１の一方側（図示上側）の表面に長手方向に沿って所定の小間隔で設けられた矩形のラベル台紙１２と、を備えている。
【００２３】
ラベル台紙１２は、裏面に設けられた適宜の粘着剤層により上記剥離材１１に剥離可能に接着されている。またラベル台紙１２は、切り取り線１３に沿って切り取り可能に設けられたラベル素材１４を備えている。
【００２４】
そして、図２（ｂ）に示す、印字後の被印字テープ１０′では、上記構成の被印字テープ１０の上記ラベル素材１４に対し、上記印字ヘッド７によって印字Ｒ１及び印字Ｒ２が印刷されることで、巻き付けラベル１００が生成されている。巻き付けラベル１００は、上記切り取り線１３に沿ってラベル台紙１２から切り取って剥離材１１から剥がすことができる。
【００２５】
＜巻き付けラベルの外観＞
上記のようにして生成された巻き付けラベル１００は、図３（ａ）に示すように、図示左右方向に延びる細長の矩形の巻き付け部１５と、巻き付け部１５の左右方向一端部（この例では右方端部）から図示左右方向に連接され、上記印字Ｒ１が印刷された第１印刷面１６ａを備えた第１ラベル部１６と、第１ラベル部１６から図示上下方向の一方側（この例では下方側）に連接され、上記印字Ｒ２が印刷された第２印刷面１７ａを備えた第２ラベル部１７と、を有する。第１ラベル部１６と第２ラベル部１７とは、左右方向に横長の同形の矩形状となっている。
【００２６】
印字Ｒ１において、文字列「ＡＢＣ」（第１印字オブジェクトに相当）が、第１印刷面１６ａの上下方向略中央部において、巻き付け部１５と反対側の右方端部に寄せて、正立した姿勢で左右方向に印刷されている。
【００２７】
印字Ｒ２において、文字列「ＸＹＺ」（第２印字オブジェクトに相当）が、第２印刷面１７ａの上下方向略中央部において、巻き付け部１５と反対側の右方端部に寄せて、１８０°回転した倒立した姿勢で左右方向に印刷されている。
【００２８】
そして、上記構成の巻き付けラベル１００は、使用時には、まず、図３（ｂ）に示すように、第２ラベル部１７を、印刷面１７ａが第１ラベル部１６の背面側で露出するように山折りの形（図３（ａ）に山折り部を一点鎖線で示す）で第１ラベル部１６側へと折り返され（白矢印参照）、折り返された第２ラベル部１７が第１ラベル部１６に対し（それらの裏面の粘着剤層により）貼り付けられる。
【００２９】
＜巻き付けラベルの使用形態＞
その後、上記図３（ｂ）のように折り返された巻き付けラベル１００は、図４（ａ）に示すように、図示上下方向を軸心方向とする円管状又はケーブル状の被着体２０（この例ではケーブル。以下適宜、単に「ケーブル２０」と称する）の周囲に巻き付け部１５の左右方向略中央部が位置するように巻き付けてから折り返される。次に、巻き付け部１５の裏面の接着剤層により、巻き付け部１５の折り返しによる重なり部分を互いに接着するとともに、巻き付け部１５のケーブル２０周囲の巻き付けた部分をケーブル２０の周囲に接着する。
【００３０】
以上により、ケーブル２０に巻き付けラベル１００が取り付けられ、重なり合った第１ラベル部１６と第２ラベル部１７とが巻き付け部１５から、図示左右方向に突出する（いわゆるＰ型ラベル）。図４（ａ）はケーブル２０に取り付けられた巻き付けラベル１００を正面側（第１ラベル部１６側）から見た外観を示している。図示のように、第１ラベル部１６において、第１印刷面１６ａに文字列「ＡＢＣ」が、巻き付け部１５と反対側の端部（文字列「ＡＢＣ」の向きの後端部）に寄せた位置態様で正立姿勢で表記されている。
【００３１】
図４（ｂ）は、ケーブル２０に取り付けられた巻き付けラベル１００を背面側（第２ラベル部１７側）から見た外観を示している。図示のように、第２ラベル部１７において、第２印刷面１７ａに文字列「ＸＹＺ」が、巻き付け部１５と反対側の端部（文字列「ＸＹＺ」の向きの前端部）に寄せた位置態様で正立姿勢で表記されている。
【００３２】
＜巻き付けラベル印刷時の固有の課題＞
上記のように、巻き付けラベル１００は、ケーブル２０に巻き付けて立体的に使用されるものである。しかしながら、印字Ｒ１，Ｒ２を印刷する際には、上述したように、略平面状態の（すなわち、上記立体的な構成を展開した状態である）被印字テープ１０に対し、印刷が行われる。したがって、上記制御回路２（詳細にはＣＰＵ）から印字ヘッド７０へ出力する印字データ（後述のドットパターンデータ）は、前述のような実際の立体的な使用を考慮したデータ態様としなければならない。本実施形態の要部は、ユーザによる簡単な入力に基づき、上記立体的な使用を考慮したデータ態様を実現する手法にある。以下、その詳細を、前述の印字Ｒ１，Ｒ２を備えた巻き付けラベル１００を作成する場合を例に取り、順を追って説明する。
【００３３】
＜バッファにおけるドットパターンの処理手法＞
本実施形態のラベル作成装置１において、上記ＲＡＭ５には、図５に示すように、ユーザが操作部３を介して操作入力した文字・図像等の印字オブジェクトに対応するドットパターンを記憶するバッファ３０が備えられている。本実施形態の特徴の１つとして、このバッファ３０が、第１記憶領域３１と第２記憶領域３２との２つを備えている。
【００３４】
＜２つの記憶領域への展開＞
上記印字Ｒ１，Ｒ２を備えた巻き付けラベル１００を作成するために、例えば、ユーザが、操作部３を介した編集操作により文字列「ＡＢＣ」と文字列「ＸＹＺ」を（例えば表示部４において２行に表示されるように改行しつつ）入力する。すると、上記ＣＰＵの制御により、図５に示すように、文字列「ＡＢＣ」に対応して生成されたドットパターンデータ（以下適宜、単に「第１ドットパターンＰ１」と称する）が上記第１記憶領域３１に展開されるとともに、文字列「ＸＹＺ」に対応して生成されたドットパターンデータ（以下適宜、単に「第２ドットパターンＰ２」と称する）が上記第２記憶領域３２に展開される。なお、図５〜図８の各図中においては、図示の明確化のために第１記憶領域３１と第２記憶領域３２との間に（データ展開の行われない）空白部を示しているが、実際のバッファ３０にはこのような空白部が存在しなくてもよい。また１つのバッファ３０中に上記２つの記憶領域３１，３２がある場合を例にとって説明するが、これに限られず、互いに異なる２つのバッファにそれぞれ記憶領域３１及び記憶領域３２が個別に設けられていても良い。
【００３５】
図５において、この例では、第１ドットパターンＰ１は、正立姿勢「ＡＢＣ」の文字列を、第１記憶領域３１の前端部３１ａに寄せつつ第１記憶領域３１の上下方向中央部において形成するように、展開されている。同様に、第２ドットパターンＰ２は、正立姿勢「ＸＹＺ」の文字列を、第２記憶領域３２の前端部３２ａに寄せつつ第２記憶領域３２の上下方向中央部において形成するように、展開されている。
【００３６】
＜ドットパターンデータの回転処理＞
以上のようにして、第１及び第２記憶領域３１，３２に第１及び第２ドットパターンＰ１，Ｐ２が展開されると、次に、ＣＰＵの制御により、図６に示すように、上記第２ドットパターンＰ２を、第２記憶領域３２内において１８０°回転する（実際には１８０°回転した態様で展開しなおす。以下同様）。このようにして１８０°回転された第２ドットパターンＰ２は、倒立姿勢の「ＸＹＺ」の文字列を、第２記憶領域３２の後端部３２ｂに寄せつつ第２記憶領域３２の上下方向中央部において形成するように、展開されている。これにより、前述した第２ラベル部１７の第１ラベル部１６側への折り返しに対応して、第１ドットパターンＰ１により形成される文字列「ＡＢＣ」の向きと、第２ドットパターンＰ２により形成される文字列「ＸＹＺ」の向きとが、上記使用状態において同一方向に揃うことになる。
【００３７】
＜余白検出処理＞
上記の回転処理が終了したら、次に、ＣＰＵの制御により、上記第１及び第２記憶領域３１，３２の第１及び第２ドットパターンＰ１，Ｐ２の周囲の余白ドットが検出される。この例では、前述したように巻き付け部１５と反対側の端部に文字列「ＡＢＣ」「ＸＹＺ」を寄せて印字形成する観点から、以下のような余白検出処理が行われる。すなわち、図７に示すように、第１記憶領域３１の第１ドットパターンＰ１の周囲（この例では文字列「ＡＢＣ」の、第１記憶領域３１の後端部３１ｂ側の部位）の余白ドット３３（第１余白ドットに相当。以下適宜、単に「第１余白ドット３３」という）が検出される。同様に、第２記憶領域３２の第２ドットパターンＰ２の周囲（この例では倒立状態の文字列「ＸＹＺ」の、第２記憶領域３２の後端部３２ｂ側の部位）の余白ドット３４（第２余白ドットに相当。以下適宜、単に「第２余白ドット３４」という）が検出される。
【００３８】
＜余白削除処理＞
上記の余白検出処理が終了したら、最後に、ＣＰＵの制御により、上記検出した第１余白ドット３３及び第２余白ドット３４の削除が行われる。これにより、図８に示すように、第１記憶領域３１においては、第１ドットパターンＰ１は、右側の上記余白削除方向にシフトし、正立姿勢の「ＡＢＣ」の文字列の後端が上記後端部３１ｂに位置するような態様で、展開される。同様に、第２記憶領域３２においては、第２ドットパターンＰ２は、右側の上記余白削除方向にシフトし、倒立姿勢の「ＸＹＺ」の文字列の後端が上記後端部３２ｂに位置するような態様で、展開される。すなわち、第１ドットパターンＰ１の上記正立姿勢の「ＡＢＣ」の文字列と、第２ドットパターンＰ２の上記倒立姿勢の「ＸＹＺ」の文字列とが、いわゆる後端揃えの状態になる。これにより、第１ドットパターンＰ１により形成される文字列「ＡＢＣ」の印字Ｒ１と、第２ドットパターンＰ２により形成される文字列「ＸＹＺ」の印字Ｒ２とが、上記使用状態で巻き付け部１５と反対側の右方端部で揃うような態様で、印字形成されることになる（図３（ａ）参照）。
【００３９】
なお、上記の例では、適用される余白削除ルールを加味して、第１及び第２ドットパターンＰ１，Ｐ２の周囲の余白ドットのうち、文字列「ＡＢＣ」の後端部３１ｂ側の第１余白ドット３３及び文字列「ＸＹＺ」の後端部３２ｂ側の第２余白ドット３４のみを検出したが、これに限られない。すなわち、第１及び第２ドットパターンＰ１，Ｐ２の周囲の余白ドットをすべて検出した後、上記余白削除ルールを適用して、それら検出したすべての余白ドットのうちから文字列「ＡＢＣ」の後端部３１ｂ側の第１余白ドット３３及び文字列「ＸＹＺ」の後端部３２ｂ側の第２余白ドット３４のみを削除するようにしてもよい（以下の各変形例においても同様）。
【００４０】
なお、上記の例では、余白削除のルールとして、文字列「ＡＢＣ」の後端部３１ｂ側の部位の余白ドット３３と、文字列「ＸＹＺ」の後端部３２ｂ側の部位の余白ドット３４と、を削除する場合（すなわち後端側削除ルール）を例にとって説明したが、これに限られない。例えば、第１及び第２ドットパターンＰ１，Ｐ２を（使用時における）巻き付け部側の端部で互いに揃えたり（すなわち前端側の余白を削除して前端揃えとする前端側削除ルール。後述の変形例参照）することもできる。
【００４１】
さらには、第１及び第２ドットパターンＰ１，Ｐ２を（使用時における）互いの上記左右方向中央部が、第１及び第２記憶領域３１，３２の図示左右方向中央部で揃うように（すなわちセンタリングするための余白削除ルール）することもできる。この場合、形成された巻き付けラベル１００では、使用時において第１及び第２ラベル部１６，１７のちょうど中央の位置に文字列「ＡＢＣ」及び文字列「ＸＹＺ」が表記される。これにより、第１及び第２ラベル部１６，１７中において中央からどちらかに偏って表記される場合に比べ、見た目の美観性を高めることができる。
【００４２】
以上の本実施形態の処理を図９（ａ）〜（ｃ）に概念的に示す。ユーザが文字列「ＡＢＣ」「ＸＹＺ」を入力すると、対応する上記第１印刷面１６ａ用の第１ドットパターンＰ１及び第２印刷面１７ａ用の第２ドットパターンＰ２が、バッファ３０の第１及び第２記憶領域３１，３２に展開される（図９（ａ）参照）。その後、第２ドットパターンＰ２が第２記憶領域３２で１８０°回転する（図９（ｂ）参照）。そして、第１及び第２ドットパターンＰ１，Ｐ２の後端側の第１及び第２余白ドット３３，３４が検出されて削除されることで、バッファ３０上で「ＡＢＣ」の第１ドットパターンＰ１と「ＸＹＺ」の第２ドットパターンＰ２とが後端揃えとなる（図９（ｃ）参照）。
【００４３】
＜制御フロー＞
上記手法を実現するために、ラベル作成装置１の制御回路２（詳細にはＣＰＵ。以下同様）が実行する制御手順を、図１０により説明する。図１０において、このフローは、例えば、ラベル作成装置１の電源がオンされることを契機に開始される。
【００４４】
まず、ステップＳ１００において、制御回路２は、上記印字素材４に印刷する印字オブジェクトの印字データを用意するデータ準備処理を行う。
【００４５】
図１１に、上記ステップＳ１００の詳細手順を示す。図１１において、まず、ステップＳ１０１において、制御回路２は、操作部３を介したユーザの、第１印字オブジェクト（前述の例では文字列「ＡＢＣ」及び第２印字オブジェクト（前述の例では文字列「ＸＹＺ」）の編集操作を受け付ける。ステップＳ１０１が終了すると、ステップＳ１０２に移る。
【００４６】
ステップＳ１０２では、制御回路２は、上記ステップＳ１０１で受け付けた第１及び第２印字オブジェクトに対応する第１及び第２ドットパターンＰ１，Ｐ２（前述の例では「ＡＢＣ」「ＸＹＺ」のドットパターン）を生成し、生成した第１及び第２ドットパターンＰ１，Ｐ２を上記第１及び第２記憶領域３１，３２にそれぞれ展開する。なお、このステップＳ１０２が、各請求項記載のデータ展開手段として機能する。ステップＳ１０２が終了すると、ステップＳ１０３に移る。
【００４７】
ステップＳ１０３では、制御回路２は、上記ステップＳ１０２で上記第２記憶領域３２に展開された第２ドットパターンＰ２を、第２記憶領域３２内において１８０°回転する。なお、このステップＳ１４０が、各請求項記載のデータ回転手段として機能する。ステップＳ１０３が終了すると、ステップＳ１０４に移る。
【００４８】
ステップＳ１０４では、制御回路２は、上記ステップＳ１０２で第１記憶領域３１に展開された第１ドットパターンＰ１の後端側の上記第１余白ドット３３と、上記ステップＳ１０３で上記第２記憶領域３２において回転した後の第２ドットパターンＰ２の後端側の上記第２余白ドット３４と、を検出する。なお、このステップＳ１５０が、各請求項記載の余白検出手段として機能する。ステップＳ１０４が終了すると、ステップＳ１０５に移る。
【００４９】
ステップＳ１０５では、制御回路２は、上記ステップＳ１０４で検出された第１余白ドット３３及び第２余白ドット３４を削除することで、第１及び第２ドットパターンＰ１，Ｐ２を後揃えにシフトし後揃えとした印字データを完成させる。なお、このステップＳ１６０が、各請求項記載の余白削除手段として機能する。その後、このルーチンを終了し、上記図１０の上記ステップＳ１１０へ移行する。
【００５０】
ステップＳ１１０では、制御回路２は、搬送ローラ６に制御信号を出力し、テープロール１０Ａからの被印字テープ１０の繰り出し、すなわち被印字テープ１０の搬送を開始させる。
【００５１】
その後、ステップＳ１２０で、制御回路２は、被印字テープ１０が所定量だけ搬送されたかどうかを判定する。なお、この所定量とは、例えば、被印字テープ１０の図示しない印字領域の先端が、印字ヘッド７とほぼ対向する位置に到達するだけの搬送距離である。所定量搬送されるまでステップＳ１２０の判定が満たされず（Ｓ１２０：ＮＯ）、ループ待機する。被印字テープ１０が所定量搬送されたらステップＳ１２０の判定が満たされて（Ｓ１２０：ＹＥＳ）、ステップＳ１３０に移る。
【００５２】
ステップＳ１３０では、制御回路２は、印字ヘッド７に制御信号を出力し、搬送ローラ６により搬送される被印字テープ１０の印字領域に対し、上記ステップＳ１０５で準備された印字データ（すなわち、後揃えの第１ドットパターンＰ１と第２ドットパターンＰ２）の印字を開始させる。
【００５３】
その後、ステップＳ１４０で、制御回路２は、上記ステップＳ１３０で開始した印字ヘッド７による被印字テープ１０の印字領域への印字データの印字がすべて完了しているかどうかを判定する。印字がすべて完了するまでステップＳ１４０の判定が満たされず（Ｓ１４０：ＮＯ）、ループ待機し、印字がすべて完了したらステップＳ１４０の判定が満たされて（Ｓ１４０：ＹＥＳ）、ステップＳ１５０に移る。
【００５４】
ステップＳ１５０では、制御回路２は、被印字テープ１０がさらに所定量（例えばユーザが所望枚数の巻き付けラベル１００の印字形成が終了するだけの搬送距離）だけ搬送されたかどうかを判定する。所定量搬送されるまでステップＳ１５０の判定が満たされず（Ｓ１５０：ＮＯ）、ループ待機し、所定量搬送されたらステップＳ１５０の判定が満たされて（Ｓ１５０：ＹＥＳ）、ステップＳ１６０に移る。
【００５５】
ステップＳ１６０では、制御回路２は、搬送ローラ６に制御信号を出力し、ステップＳ１１０で開始させたテープロール１０Ａからの被印字テープ１０の繰り出し、すなわち被印字テープ１０の搬送を停止させる。なお、上記ステップＳ１１０〜ステップＳ１６０が、各請求項記載の印刷制御手段として機能する。
【００５６】
そして、ステップＳ１７０で、制御回路２は、表示部４に表示信号を出力し、カットレバー８を操作することにより印字ヘッド７による印字が行われた印字後の被印字テープ１０′を切断可能な状態である旨の表示を行わせる。その後、このフローに示す処理を終了する。上記表示に応じてユーザがカットレバー８を操作すると、カッタ９が作動して印字後の被印字テープ１０′が切断される。この切断によって、適宜の長さの被印字テープ１０′が切り離され、その切り離された部分において上記剥離材１１から所望枚数の巻き付けラベル１００を引き剥がすことができる（但しカッタ９切断が行われない状態であっても、上記巻き付けラベル１００の引き剥がしは可能である）。
【００５７】
＜実施形態の効果＞
以上説明したように、本実施形態の印刷装置１においては、ユーザの編集操作に応じて、文字列「ＡＢＣ」及び文字列「ＸＹＺ」にそれぞれ対応した第１及び第２ドットパターンＰ１，Ｐ２が生成され、ＲＡＭ５の第１及び第２記憶領域３１，３２に展開される。そして、上記第２ドットパターンＰ２を、第２記憶領域３２において１８０°回転させた態様で展開する。
【００５８】
その後、上記第１及び第２ドットパターンＰ１，Ｐ２の周囲にそれぞれ存在する第１及び第２余白ドット３３，３４が検出され、所定の削除ルール（前述の例では後端揃え）にしたがって削除されることで、第１ドットパターンＰ１及び第２ドットパターンＰ２を、当該削除方向に（言い替えれば削除した余白ドット３３，３４を詰めるように）シフトさせる。これにより、第１ドットパターンＰ１により形成される文字列「ＡＢＣ」と、第２ドットパターンＰ２により形成される文字列「ＸＹＺ」とが、上記使用状態において、上記巻き付け部１５と反対側の端部に揃った態様で形成されることになる。
【００５９】
以上の結果、本実施形態では、ユーザが最初に操作部３を介して文字列「ＡＢＣ」及び文字列「ＸＹＺ」の内容を操作入力するだけで、上記のように使用時における向きや端部等の位置が自動的に揃えられた態様で巻き付けラベル１００が作成される。この結果、ユーザが上記向きや端部位置等を揃えるための各種操作・設定を手動で行う必要がなくなるので、操作負担を大きく低減し、利便性を向上することができる。
【００６０】
また、本実施形態では特に、上記第１ドットパターンＰ１及び上記第２ドットパターンＰ２の上記巻き付け部１５と反対側となる端部（後端部）が、各記憶領域３１，３２の当該反対側の端部（後端部）で揃うように、上記第１ドットパターンＰ１及び上記第２ドットパターンＰ２のシフトが行われる。これにより、次の効果を奏する。
【００６１】
すなわち、例えば多数のケーブル２０が密集して配置されそれぞれに巻き付けラベル１００が貼り付けられている場合、多数のケーブル２０それぞれに設けられた多数の巻き付けラベル１００も互いに密集して配置されることとなる。このような場合、第１及び第２ラベル部１６，１７に印刷される文字列「ＡＢＣ」及び文字列「ＸＹＺ」は、ケーブル２０からなるべく遠い位置に表記されているほうが、ユーザが容易に視認できる可能性が高い。本実施形態においては、上記に対応し、第１及び第２ドットパターンＰ１，Ｐ２を、第１及び第２記憶領域３１，３２において使用時における巻き付け部１５と反対側となる端部（すなわち後端揃え）で揃えるようにする。これにより、形成された巻き付けラベル１００では、使用時において上記のようにケーブル２０から最も遠くなる位置に文字列「ＡＢＣ」「ＸＹＺ」が表記される。これにより、ユーザによる上記視認性を高め、利便性を向上することができる。
【００６２】
なお、本発明は、上記実施形態に限られるものではなく、その趣旨及び技術的思想を逸脱しない範囲内で種々の変形が可能である。以下、そのような変形例を順を追って説明する。上記実施形態と同等の部分には同一の符号を付し、適宜、説明を省略又は簡略化する。
【００６３】
（１）ケーブルに最も近くなる位置に文字列を表記する場合
上記実施形態では、被着体のケーブル２０から最も遠くなる位置に文字列「ＡＢＣ」「ＸＹＺ」が表記されるように巻き付けラベル１００を作成したが、これに限られない。すなわち、ケーブル２０に最も近くなる位置に文字列「ＡＢＣ」「ＸＹＺ」が表記されるようにしてもよい。そのような変形例を、上記図９（ａ）〜（ｃ）にそれぞれ対応する図１２（ａ）〜（ｃ）により説明する。
【００６４】
すなわち、本変形例においては、上記同様ユーザが編集操作により文字列「ＡＢＣ」「ＸＹＺ」を入力すると、対応する、上記第１印刷面１６ａ用の上記第１ドットパターンＰ１と、上記第２印刷面１７ａ用の上記第２ドットパターンＰ２が生成され、上記第１記憶領域３１及び第２記憶領域３２にそれぞれ展開される（図１２（ａ））。
【００６５】
その後、「ＸＹＺ」の第２ドットパターンＰ２が第２記憶領域３２で１８０°回転する（図１２（ｂ））。そして、第１記憶領域３１の「ＡＢＣ」の第１ドットパターンＰ１の前端（図示左端）側の第１余白ドット３３が検出されるとともに、第２記憶領域３２の「ＸＹＺ」の第２ドットパターンＰ２の前端（図示左端）側の第２余白ドット３４が検出される。
【００６６】
そして、「ＡＢＣ」の第１ドットパターンＰ１、「ＸＹＺ」の第２ドットパターンＰ２それぞれの前端側の上記余白ドット３３，３４が削除されることで、バッファ３０上で「ＡＢＣ」の第１ドットパターンＰ１と「ＸＹＺ」の第２ドットパターンＰ２とが前端揃えとなる（図１２（ｃ））。
【００６７】
以上のような本変形例においては、以下の効果を奏する。すなわち、例えば巻き付け部１５の長さが比較的長くケーブル２０と第１及び第２ラベル部１６，１７との間に距離がある場合、第１及び第２ラベル部１６，１７にそれぞれ印刷される上記文字列「ＡＢＣ」「ＸＹＺ」は、ケーブル２０からなるべく近い位置に表記されているほうが、ユーザにとってケーブル２０と上記文字列「ＡＢＣ」及び文字列「ＸＹＺ」との結びつきが容易に認識できて便利である。そこで本変形例においては、上記に対応し、第１及び第２ドットパターンＰ１，Ｐ２を、第１及び第２記憶領域３１，３２において（使用時における）巻き付け部１５側の端部で揃えるようにする。これにより、形成された巻き付けラベル１００では、使用時において上記のようにケーブル２０から最も近くなる位置に文字列「ＡＢＣ」「ＸＹＺ」が表記される。これにより、ユーザによる上記認識性を高め、利便性を向上することができる。
【００６８】
（２）文字列をマーク位置で揃える場合
本変形例では、ユーザが編集操作により適宜に入力した位置揃え用のマークの位置で、上記第１及び第２ドットパターンＰ１，Ｐ２が揃えられる。本変形例を、上記図９（ａ）〜（ｃ）にそれぞれ対応する図１３（ａ）〜（ｃ）により説明する。
【００６９】
本変形例では、上記同様ユーザが編集操作により文字列「ＡＢＣ」「ＸＹＺ」を入力するとともに、位置揃え用のマーク（この例では「■」印）をも入力する。この例では文字列「ＡＢＣ」の後部（図示右側）に「■」が付加されるように入力され、文字列「ＸＹＺ」の前部（図示左側）に「■」が付加されるように入力されている。すると、対応する、上記第１印刷面１６ａ用の上記第１ドットパターンＰ１（「ＡＢＣＤＥＦ■」）と、上記第２印刷面１７ａ用の上記第２ドットパターンＰ２（「■ＸＹＺ」）とが生成され、上記第１記憶領域３１及び第２記憶領域３２にそれぞれ展開される（図１３（ａ））。
【００７０】
その後、「■ＸＹＺ」の第２ドットパターンＰ２が第２記憶領域３２で１８０°回転する（図１３（ｂ））。そして、第２記憶領域３２の第２ドットパターンＰ２の■マークが第１記憶領域３１の第１ドットパターンＰ１の■マークに揃うのに要する所要ドット分だけ、第２ドットパターンＰ２の前端側の第２余白ドット３４が検出される。
【００７１】
そして、「ＸＹＺ」の第２ドットパターンＰ２の前端側（図示左側）の上記所要ドット分の余白ドット３４が削除されることで、バッファ３０上で「ＡＢＣ」の第１ドットパターンＰ１と「ＸＹＺ」の第２ドットパターンＰ２とが■マークの位置で揃えられる。なお、第１及び第２ドットパターンＰ１，Ｐ２による印字データを用いて印字ヘッド７により印刷する際には、上記■マークは削除して印刷が行われる。
【００７２】
本変形例によれば、ユーザが文字列「ＡＢＣ」及び文字列「ＸＹＺ」を入力する際、位置揃え用のマーク（この例では■マーク）を所望の位置に付加して入力することにより、各文字列の所望の位置（この例では文字列「ＡＢＣ」及び文字列「ＸＹＺ」の後端部）を互いに揃えつつ、表記することができる。
【００７３】
（３）Ｔ型ラベルを作成する場合
以上においては、例えば図３図４を用いて前述したように、巻き付けラベル１００が、使用時において軸心を上下方向とする被着体（ケーブル２０）に取り付けた際、第１ラベル部１６及び第２ラベル部１７が左右方向に突出し、かつ文字列方向も左右方向となる、Ｐ型ラベルである場合を例にとって説明したが、これに限られない。すなわち、軸心方向を左右方向とする被着体に取り付けた際、第１ラベル部及び第２ラベル部が上下方向に突出し、文字列方向が左右方向となる、いわゆるＴ型ラベルの作成において本発明を適用しても良い。そのような変形例を図１４〜図１６により説明する。
【００７４】
＜巻き付けラベルの外観＞
本変形例の巻き付けラベル２００は、図１４（ａ）に示すように、図示上下方向に延びる細長の矩形の巻き付け部２５と、巻き付け部２５の上下方向一端部（この例では上端部）から図示上下方向に連接され、上記印字Ｒ１が印刷された第１印刷面２６ａを備えた第１ラベル部２６と、第１ラベル部２６から図示上下方向の一方側（この例では上方側）に連接され、上記印字Ｒ２が印刷された第２印刷面２７ａを備えた第２ラベル部２７と、を有する。第１ラベル部２６と第２ラベル部２７とは、左右方向に横長の同形の矩形状となっている。
【００７５】
印字Ｒ１において、文字列「ＡＢＣＤＥ」（第１印字オブジェクトに相当）が、第１印刷面２６ａの左右方向略中央部において、巻き付け部２５の側の下方端部に寄せて、正立した姿勢で左右方向に印刷されている。
【００７６】
印字Ｒ２において、文字列「ＸＹＺ」（第２印字オブジェクトに相当）が、第２印刷面１７ａの左右方向略中央部において、巻き付け部２５と反対側の上方端部に寄せて、１８０°回転した倒立した姿勢で左右方向に印刷されている。
【００７７】
そして、上記構成の巻き付けラベル２００は、使用時には、まず、図１４（ｂ）に示すように、第２ラベル部２７を、印刷面２７ａが第１ラベル部２６の背面側で露出するように山折りの形（図１４（ａ）に山折り部を一点鎖線で示す）第１ラベル部２６側へと折り返され、折り返された第２ラベル部２７が第１ラベル部２６に対し（それらの裏面の粘着剤層により）貼り付けられる。
【００７８】
＜巻き付けラベルの使用形態＞
その後、上記図１４（ｂ）のように折り返された巻き付けラベル２００は、図１５（ａ）に示すように、図示左右方向を軸心方向とする円環状又はケーブル状の被着体（この例ではケーブル。以下適宜、単に「ケーブル４０」と称する）の周囲に巻き付け部２５の上下方向略中央部が位置するように巻き付けてから折り返される。次に、巻き付け部２５の裏面の接着剤層により、巻き付け部２５の折り返しによる重なり部分を互いに接着するとともに、巻き付け部２５のケーブル４０周囲の巻き付けた部分をケーブル４０の周囲に接着する。
【００７９】
以上により、ケーブル４０に巻き付けラベル２００が取り付けられ、重なり合った第１ラベル部２６と第２ラベル部２７とが巻き付け部２５から、図示上下方向に突出する（いわゆるＴ型ラベル）。図１５（ａ）はケーブル４０に取り付けられた巻き付けラベル２００を正面側（第１ラベル部２６側）から見た外観を示している。図示のように、第１ラベル部２６において、第１印刷面２６ａに文字列「ＡＢＣＤＥ」が、巻き付け部２５の側の端部に寄せた位置態様で正立姿勢で表記されている。
【００８０】
図１５（ｂ）は、ケーブル４０に取り付けられた巻き付けラベル２００を背面側（第２ラベル部２７側）から見た外観を示している。図示のように、第２ラベル部２７において、第２印刷面２７ａに文字列「ＸＹＺ」が、巻き付け部２５の側の端部に寄せた位置態様で正立姿勢で表記されている。
【００８１】
＜ドットパターンデータの処理の流れ＞
本変形例におけるドットパターンデータの処理の全体の流れを、上記図９（ａ）〜（ｃ）にそれぞれ対応する図１６（ａ）〜（ｃ）により説明する。
【００８２】
すなわち、本変形例においては、上記同様ユーザが編集操作により文字列「ＡＢＣＤＥ」「ＸＹＺ」を入力すると、対応する、上記第１印刷面２６ａ用の第１ドットパターンＰ１（文字列「ＡＢＣＤＥ」のドットパターン）と、上記第２印刷面２７ａ用の第２ドットパターンＰ２（文字列「ＸＹＺ」のドットパターン）が生成され、上記第１記憶領域３１及び第２記憶領域３２にそれぞれ展開される（図１５（ａ））。
【００８３】
その後、「ＸＹＺ」の第２ドットパターンＰ２が第２記憶領域３２で１８０°回転する（図１５（ｂ））。そして、前述と同様、第１記憶領域３１の「ＡＢＣＤＥ」の第１ドットパターンＰ１の図示下端側の第１余白ドット３３が検出されるとともに、第２記憶領域３２の「ＸＹＺ」の第２ドットパターンＰ２の図示上端側の第２余白ドット３４が検出される。
【００８４】
そして、「ＡＢＣＤＥ」の第１ドットパターンＰ１、「ＸＹＺ」の第２ドットパターンＰ２それぞれの上記余白ドット３３，３４が削除されることで、バッファ３０上で「ＡＢＣＤＥ」の第１ドットパターンＰ１と「ＸＹＺ」の第２ドットパターンＰ２とがケーブル４０側揃えとなる（図１６（ｃ））。
【００８５】
以上のようにしてＴ型ラベルである巻き付けラベル２００を作成する本変形例においても、前述の実施形態と同様の効果を得る。すなわち、ユーザが最初に操作部３を介して文字列「ＡＢＣＤＥ」及び文字列「ＸＹＺ」の内容を操作入力するだけで、上記のように使用時における向きや端部等の位置が自動的に揃えられた態様で巻き付けラベル２００が作成される。この結果、ユーザが上記向きや端部位置等を揃えるための各種操作・設定を手動で行う必要がなくなるので、操作負担を大きく低減し、利便性を向上することができる。
【００８６】
また、本変形例では、上述したように、上記第１ドットパターンＰ１及び上記第２ドットパターンＰ２の上記巻き付け部２５の側となる端部（下端部）が、各記憶領域３１，３２の当該側の端部（下端部）で揃うように、上記第１ドットパターンＰ１及び上記第２ドットパターンＰ２のシフトが行われる。これにより、形成された巻き付けラベル２００では、使用時において上記のようにケーブル４０から最も近くなる位置に文字列「ＡＢＣＤＥ」及び文字列「ＸＹＺ」が表記される。これにより、前述と同様、例えば巻き付け部２５の長さが比較的長くケーブル４０と第１及び第２ラベル部２６，２７との間に距離がある場合であっても、ユーザによるケーブル４０と文字列「ＡＢＣ」及び文字列「ＸＹＺ」との結びつきの認識性を高め、利便性を向上することができる。
【００８７】
（４）ケーブルに最も遠くなる位置に文字列を表記する場合
上記（３）の変形例では、被着体のケーブル４０から最も近くなる位置に文字列「ＡＢＣＤＥ」「ＸＹＺ」が表記されるように巻き付けラベル２００を作成したが、これに限られない。すなわち、ケーブル４０に最も遠くなる位置に文字列「ＡＢＣＤＥ」「ＸＹＺ」が表記されるようにしてもよい。そのような変形例を、上記図１６（ａ）〜（ｃ）にそれぞれ対応する図１７（ａ）〜（ｃ）により説明する。
【００８８】
すなわち、本変形例においては、上記同様ユーザが編集操作により文字列「ＡＢＣＤＥ」「ＸＹＺ」を入力すると、対応する、上記第１印刷面２６ａ用の上記第１ドットパターンＰ１と、上記第２印刷面２７ａ用の上記第２ドットパターンＰ２が生成され、上記第１記憶領域３１及び第２記憶領域３２にそれぞれ展開される（図１７（ａ））。
【００８９】
その後、「ＸＹＺ」の第２ドットパターンＰ２が第２記憶領域３２で１８０°回転する（図１７（ｂ））。そして、第１記憶領域３１の「ＡＢＣＤＥ」の第１ドットパターンＰ１の図示上端側の第１余白ドット３３が検出されるとともに、第２記憶領域３２の「ＸＹＺ」の第２ドットパターンＰ２の図示下端側の第２余白ドット３４が検出される。
【００９０】
そして、「ＡＢＣＤＥ」の第１ドットパターンＰ１、「ＸＹＺ」の第２ドットパターンＰ２それぞれの上記余白ドット３３，３４が削除されることで、バッファ３０上で「ＡＢＣＤＥ」の第１ドットパターンＰ１と「ＸＹＺ」の第２ドットパターンＰ２とがケーブル４０と反対側に揃えられる（図１７（ｃ））。
【００９１】
上記の手法により生成された巻き付けラベル２００は、前述と同様、図１５（ａ）に対応する図１８（ａ）に示すように、図示左右方向に延びるケーブル４０の周囲に巻き付け部２５の上下方向略中央部が位置するように巻き付けてから折り返される。次に、巻き付け部２５の裏面の接着剤層により、巻き付け部２５の折り返しによる重なり部分を互いに接着するとともに、巻き付け部２５のケーブル４０周囲の巻き付けた部分をケーブル４０の周囲に接着する。
【００９２】
以上により、ケーブル４０に巻き付けラベル２００が取り付けられる。ケーブル４０に取り付けられた巻き付けラベル２００を正面側（第１ラベル部２６側）から見ると、図１８（ａ）に示すように、第１ラベル部２６において、第１印刷面２６ａに文字列「ＡＢＣＤＥ」が、巻き付け部２５の側の端部に寄せた位置態様で正立姿勢に表記されている。ケーブル４０に取り付けられた巻き付けラベル２００を背面側（第２ラベル部２７側）から見ると、図１８（ｂ）に示すように、第２ラベル部２７において、第２印刷面２７ａに文字列「ＸＹＺ」が、巻き付け部２５の側の端部に寄せた位置態様で正立姿勢で表記されている。
【００９３】
本変形例の巻き付けラベル２００では、使用時において上記のようにケーブル４０から最も遠くなる位置に文字列「ＡＢＣＤＥ」及び文字列「ＸＹＺ」が表記される。これにより、前述のように例えば多数のケーブル４０が密集して配置されそれぞれに巻き付けラベル２００が貼り付けられている場合に、ユーザによる文字列「ＡＢＣＤＥ」及び文字列「ＸＹＺ」の視認性を高め、利便性を向上することができる。
【００９４】
なお、上記のようにＴ型ラベルとしての巻き付けラベル２００を生成する場合も、前述と同様、第１及び第２ドットパターンＰ１，Ｐ２を（使用時における）互いの上下方向中央部が、第１及び第２記憶領域３１，３２の図示上下方向中央部で揃うように（すなわちセンタリングするための余白削除ルール）することもできる。この場合、形成された巻き付けラベル２００では、使用時において第１及び第２ラベル部２６，２７のちょうど中央の位置に文字列「ＡＢＣＤＥ」及び文字列「ＸＹＺ」が表記される。これにより、第１及び第２ラベル部２６，２７中において中央からどちらかに偏って表記される場合に比べ、見た目の美観性を高めることができる。
【００９５】
（５）ラベル部に複数行の文字列が表記される場合
上記実施形態及び（１）（２）の変形例においては、各ラベル部１６，１７において、１行のテキスト文字の文字列が表記されていたが、これに限られず、各ラベル部１６，１７のうち少なくとも一方に、複数行のテキスト文字の文字列が表記されていてもよい。本変形例におけるドットパターンデータの処理の全体の流れを、上記図９（ａ）〜（ｃ）にそれぞれ対応する図１９（ａ）〜（ｃ）により説明する。
【００９６】
すなわち、本変形例においては、上記同様ユーザが編集操作により文字列「ＡＢＣＤＥＦＧ」「ＨＩＪ」及び文字列「ＸＹＺ」「ＬＭＮＵＶＷ」を入力すると、対応する、上記第１印刷面１６ａ用の第１ドットパターンＰ１１（１行目「ＡＢＣＤＥＦＧ」ドットパターン）及びＰ１２（２行目「ＨＩＪ」ドットパターン）が生成されて上記第１記憶領域３１に展開される。また、第２印刷面１７ａ用の第２ドットパターンＰ２１（１行目「ＸＹＺ」ドットパターン）及びＰ２２（２行目「ＬＭＮＵＶＷ」ドットパターン）が生成されて上記第２記憶領域３２に展開される（図１９（ａ））。
【００９７】
その後、「ＬＭＮＵＶＷ」「ＸＹＺ」の第２ドットパターンＰ２１，Ｐ２２が一体となったままの状態で第２記憶領域３２で１８０°回転する（図１９（ｂ））。そして、第１記憶領域３１の「ＡＢＣＤＥＦＧ」「ＨＩＪ」の第１ドットパターンＰ１１，Ｐ１２の前端（図示左端）側の第１余白ドット３３が検出されるとともに、第２記憶領域３２の「ＸＹＺ」「ＬＭＮＵＶＷ」の第２ドットパターンＰ２１，Ｐ２２の前端（図示左端）側の第２余白ドット３４が検出される。
【００９８】
そして、「ＡＢＣＤＥＦＧ」「ＨＩＪ」の第１ドットパターンＰ１１，Ｐ１２の前端側の上記第１余白ドット３３と、「ＸＹＺ」「ＬＭＮＵＶＷ」の第２ドットパターンＰ２１，Ｐ２２の上記第２余白ドット３４とが削除されることで、バッファ３０上で「ＡＢＣＤＥＦＧ」「ＨＩＪ」の第１ドットパターンＰ１１，Ｐ２１のグループと、「ＸＹＺ」「ＬＭＮＵＶＷ」の第２ドットパターンＰ２１，Ｐ２２のグループとが、ケーブル２０側の前揃えとなる（図１９（ｃ））。
【００９９】
本変形例においては、各ラベル部１６，１７に複数行のテキスト文字が含まれている場合であっても、複数行のグループごとに前述と同様の端部揃え処理を行うことができ、同様に利便性を向上することができる。
【０１００】
（６）複数行の文字列を１行ごとに個別処理する場合
上記（５）の変形例では、複数行の文字列はそれらをまとめて一体的に回転・シフト等の処理がなされていたが、これに限られず、複数行の各行ごとに処理を行っても良い。本変形例におけるドットパターンデータの処理の全体の流れを、上記図１９（ａ）〜（ｃ）にそれぞれ対応する図２０（ａ）〜（ｃ）により説明する。
【０１０１】
本変形例における図２０（ａ）に示す処理は、上記図１９（ａ）と同等である。すなわち、第１ドットパターンＰ１１，Ｐ１２と、第２ドットパターンＰ２１，Ｐ２２が第１記憶領域３１及び第２記憶領域３２にそれぞれ展開される。その後、前述と同様、第２ドットパターンＰ２１，Ｐ２２が一体的に第２記憶領域３２で１８０°回転する（図２０（ｂ））。このとき、本変形例においては、第１記憶領域３１において、「ＡＢＣＤＥＦＧ」の第１ドットパターンＰ１１の前端側の第１余白ドット３３ａと、「ＨＩＪ」の第１ドットパターンＰ１２の前端側の第１余白ドット３３ｂとが、個別に検出される。同様に、第２記憶領域３２において、「ＸＹＺ」の第２ドットパターンＰ２１の前端側の第１余白ドット３４ａと、「ＬＭＵＶＷ」の第２ドットパターンＰ２１の前端側の第１余白ドット３４ａとが、個別に検出される。
【０１０２】
そして、「ＡＢＣＤＥＦＧ」の第１ドットパターンＰ１１の前端側の第１余白ドット３３ａと、「ＨＩＪ」の第１ドットパターンＰ１２の前端側の第１余白ドット３３ｂと、「ＸＹＺ」の第２ドットパターンＰ２１の前端側の第１余白ドット３４ａと、「ＬＭＮＵＶＷ」の第２ドットパターンＰ２１の前端側の第１余白ドット３４ａと、が削除される。この結果、バッファ３０上で、「ＡＢＣＤＥＦＧ」の第１ドットパターンＰ１１、「ＨＩＪ」の第１ドットパターンＰ１２、「ＸＹＺ」の第２ドットパターンＰ２１、「ＬＭＮＵＶＷ」の第２ドットパターンＰ２２が、すべてケーブル２０側の前揃えとなる（図２０（ｃ））。
【０１０３】
本変形例においては、各ラベル部１６，１７に複数行の文字列が表記される場合であっても、各行ごとに個別に上述のような端部揃え処理を行うことできるので、さらに確実に利便性を向上することができる。なお、上記（５）（６）の変形例はＰ型ラベルに対し上記のデータ処理手法を適用した場合を例にとって説明したが、前述のＴ型ラベルに対し適用してもよい。この場合も、上記と同様の効果を得る。
【０１０４】
（７）その他
以上においては、ユーザが操作部３を介し各文字列の内容を操作入力すると、前述の処理がなされた巻き付けラベル１００，２００が作成されたが、これに限られない。すなわち、作成開始される前に、上述のようなドットパターンデータの処理（すなわちデータ回転や余白ドット削除）がすべて反映された状態の巻き付けラベル１００，２００の外観イメージを、表示部４（表示手段に相当）においてプレビューしても良い。これにより、実際に巻き付けラベル１００，２００の印刷を行う前に、ユーザは、上記のようにして使用時における向きや端部等の位置が自動的に揃えられた態様になっていることを視覚的に確認することができる。
【０１０５】
また、以上においては、装置単独で動作可能ないわゆるスタンドアローンタイプの印刷装置１に本発明を適用した場合を例にとって説明したが、これに限られない。すなわち、上記同様の構成の印刷装置に対し情報送受信可能に接続される操作端末において、本発明による上記処理を実行しても良い。この場合、当該操作端末には、ＣＰＵ（演算手段に相当）と、適宜の操作部（操作手段に相当）と、適宜のメモリ（記憶手段に相当）とが備えられ、当該メモリに、上記同様の第１記憶領域３１及び第２記憶領域３２を備えたバッファ３０が備えられる。そして、ＣＰＵが、図１１のフローの各手順と同等の処理を行う。
【０１０６】
すなわち、ステップＳ１０１と同等の手順（編集受付手順に相当）において、ＣＰＵは、上記操作部を介したユーザの上記第１及び第２印字オブジェクトの編集操作を受け付け、ステップＳ１０２と同等の手順（データ展開手順に相当）において、ＣＰＵは、上記で受け付けた第１及び第２印字オブジェクトに対応する第１及び第２ドットパターンＰ１，Ｐ２を生成し、上記第１及び第２記憶領域３１，３２にそれぞれ展開する。その後、ステップＳ１０３と同等の手順（データ回転手順に相当）において、ＣＰＵは、上記第２記憶領域３２に展開された第２ドットパターンＰ２を１８０°回転した後、上記ステップＳ１０４と同等の手順（余白検出手順に相当）において、上記第１記憶領域３１に展開された第１ドットパターンＰ１の後端側の第１余白ドット３３と、上記第２記憶領域３２において回転した後の第２ドットパターンＰ２の後端側の上記第２余白ドット３４と、を検出する。そして、ステップＳ１０５と同等の手順（余白削除手順に相当）において、ＣＰＵは、予め設定された余白処理ルールに基づいて第１及び第２余白ドット３３，３４を削除することで、第１及び第２ドットパターンＰ１，Ｐ２を前述のようにシフトさせて揃えた印字データを完成させる。そして、ＣＰＵは、こうして完成させた印字データを、上記同様の構成の印刷装置に対して出力する（データ出力手順に相当）。印刷装置は、この出力された印字データを受信した後、図１０に示すステップＳ１１０〜ステップＳ１７０と同等の処理を行う。これにより、既に上述したスタンドアローンタイプの印刷装置１において説明したすべてのデータ処理手法を、上記操作端末のＣＰＵによって行うことができる。また、前述のプレビューについては、ＣＰＵが上記表示部に対して表示制御信号を出力することによって上記表示部により行わせることができる（表示手順に相当）。これらの場合も前述と同様の効果を得る。
【０１０７】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【０１０８】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【０１０９】
但し、例えばしきい値や基準値等、所定の判定基準となる値あるいは区切りとなる値の記載がある場合は、それらに対しての「同一」「等しい」「異なる」等は、上記とは異なり、厳密な意味である。
【０１１０】
なお、以上において、図１中に示す矢印は信号の流れの一例を示すものであり、信号の流れ方向を限定するものではない。
【０１１１】
また、図１０、図１１に示すフローチャートは本発明を上記フローに示す手順に限定するものではなく、発明の趣旨及び技術的思想を逸脱しない範囲内で手順の追加・削除又は順番の変更等をしてもよい。
【０１１２】
また、以上既に述べた以外にも、上記実施形態や各変形例による手法を適宜組み合わせて利用しても良い。
【０１１３】
その他、一々例示はしないが、本発明は、その趣旨を逸脱しない範囲内において、種々の変更が加えられて実施されるものである。
【符号の説明】
【０１１４】
１              ラベル作成装置（印刷装置）
５              ＲＡＭ（記憶手段）
６              搬送ローラ（搬送手段）
７              印字ヘッド（印刷手段）
１０，１０′    被印字テープ（被印字媒体）
１５            巻き付け部
１６            第１ラベル部
１６ａ          第１印刷面
１７            第２ラベル部
１７ａ          第２印刷面
２０            ケーブル（被着体）
２５            巻き付け部
２６            第１ラベル部
２６ａ          第１印刷面
２７            第２ラベル部
２７ａ          第２印刷面
３１            第１記憶領域
３２            第２記憶領域
３３            第１余白ドット
３４            第２余白ドット
４０            ケーブル（被着体）
１００          巻き付けラベル
２００          巻き付けラベル
Ｐ１            第１ドットパターン
Ｐ２            第２ドットパターン
【図１】
0006300111.tif 000002
【図２】
0006300111.tif 000003
【図３】
0006300111.tif 000004
【図４】
0006300111.tif 000005
【図５】
0006300111.tif 000006
【図６】
0006300111.tif 000007
【図７】
0006300111.tif 000008
【図８】
0006300111.tif 000009
【図９】
0006300111.tif 000010
【図１０】
0006300111.tif 000011
【図１１】
0006300111.tif 000012
【図１２】
0006300111.tif 000013
【図１３】
0006300111.tif 000014
【図１４】
0006300111.tif 000015
【図１５】
0006300111.tif 000016
【図１６】
0006300111.tif 000017
【図１７】
0006300111.tif 000018
【図１８】
0006300111.tif 000019
【図１９】
0006300111.tif 000020
【図２０】
0006300111.tif 000021